(57)【特許請求の範囲】
【請求項１】
袋状のカバーに、カバー切り欠け部を設けて、前記カバーをカバー上部とカバー下部とに分け、前記カバー上部を筒状に、前記カバー下部を袋状に形成し、さらに、前記カバー切り欠き部を、前記カバーの側面から直線状に横方向に伸びる第一カバー切り欠き部と前記第１カバー切り欠き部から連続して前記カバーの内部側に向かって斜め下方向へ伸びる第２切り欠き部とから形成したインナーであって、
前記カバー下部の一方側が２つの部分に分かれ、
前記カバー下部の他方側が２つの部分に分かれたインナー。
【請求項２】
前記カバー下部の他方側が２つの部分に分かれ、前記インナーが取り付けられる足の前方部分で、前記他方側の２つの部分が結ばれる請求項１記載のインナー。
【発明の詳細な説明】
【技術分野】
【０００１】  本発明は、靴下が履きやすく、介護者側からもするりと履かせやすい、蒸れや臭いを軽減させるインナーに関する。
【背景技術】
【０００２】  従来から、足に付着させるシート状のものが知られている（特許文献１）。このシートは、靴下や、たびや、スリッパなどの内側に位置させるもので、指間のみの汗などを処理しようとするものである。
通常、このシートを足に巻いて、上から靴下を履き使用される。従来のシートを図８（ａ）、図８（ｂ）に示す。
図８（ａ）は、従来のシート２０３の平面図であり、図８（ｂ）は、従来のシート２０３を足１０４の指１０２に装着した状態を示す図である。
従来のシート２０３は、包帯のような包帯布１００に、足の指がはいる切り込み１０１を５つ設けてあり、その切り込み１０１に指１０２を挿入する。実際に、足１０４の指１０２に、シート２０３を挿入すると、包帯布１００が伸びて、図８（ｂ）のように、足の指間に、シート２０３が位置する。
しかし、従来シートでは、足の裏側の汗で蒸れる不快感の対処がない。靴下の内側が蒸れて、ブーツやシューズの内側に、足の汗で蒸れる不快感を軽減できない。
【先行技術文献】
【特許文献】
【０００３】
【特許文献１】特開２００３−３２８２１６号公報
【発明の概要】
【発明が解決しようとする課題】
【０００４】  本発明は、靴下が履きやすく、介護者側からもするりと履かせやすい、足の汗による、ストレスを軽減するために、通気性のよいインナーを、取り替え交換が簡単であり、靴の中の蒸れや臭いを軽減させるために、外出先でも取り替えやすく、取り替えると、爽快感が期待できるインナーを実現する。
【課題を解決するための手段】
【０００５】  上記の如き課題を解決するため、袋状のカバーに、第１カバー切り欠き部を設けて、前記カバーをカバー上部とカバー下部とに分け、前記カバー上部を筒状に、前記カバー下部を袋状に形成し、さらに、前記カバー切り欠き部は、前記袋状のカバーの中央を斜め下後方に、前記第１カバー切り欠け部に連続して、少し第２切り欠け部を設けて形成したことを特徴とするインナーを用いる。
【発明の効果】
【０００６】  本発明のインナーは、靴下の内側に用いられ、汗ばんだら、通気性のある不織布のインナーを履き替えるだけで足の汗で蒸れる不快感を軽減する。
不織布のインナーを装着することで、靴下を履く場合もするりと履きやすく、介護者側からも履かせやすくなり、インナーの取り替え交換が簡単にできる。インナーを携帯できるので、外出先でも取り替え交換ができる。シューズの内側は、汗で蒸れても、不織布からなるインナーを装着していると、足は不織布の内側で、さらっと感で快適である。
インナーを取り替えて破棄することで、臭いの、不快感からストレスが軽減され爽快感が得られる。
【図面の簡単な説明】
【０００７】
【図１】（ａ）本発明のインナーを示す図、（ｂ）本発明のインナーを足につけた図
【図２】（ａ）、（ｂ）本発明のインナーの図
【図３】（ａ）本発明のインナーを示す図、（ｂ）本発明のインナーを足につける途中を示した図、（ｃ）本発明のインナーを足につけた図
【図４】（ａ）本発明のインナーを示す図、（ｂ）本発明のインナーを足につけた図
【図５】本発明のインナーを示す図
【図６】（ａ）本発明のインナーを示す図、（ｂ）本発明のインナーを足につけた図
【図７】（ａ）、（ｂ）本発明のインナーをパッケージしたものを示す図
【図８】（ａ）従来のシートの平面図、（ｂ）従来のシートを足に適用した例を示す図
【実施を実施するための形態】
【０００８】（実施の形態１）
以下、この発明の実施例を添付図面に基づいて説明する。インナー８０１は、不織布からなる。不織布は、ポリプロピレン、ポリエチレン、ポリエチレンテレフタレート等の合成繊維、台所の水切りフイルター等の様な素材に通気性があって、加熱加圧で熱着できるものがよい。
本発明では、不織布を用いたので、通気性がよく、加工もしやすく、ばらばらにならないので、小さな破片が発生せず、足の指間に破片が残らない。
【０００９】  図１に、実施の形態を示す。図１（ａ）は、足１０４に装着前の状態を示す。図１（ｂ）は、足１０４に装着した状態を示す。
図１（ａ）で示すように、インナー８０１は、カバー切り欠き部８０３により、切り欠き中央部８０５を設け、カバー上部８０２と、カバー下部８０４とに別れ、袋綴じ部８０６とからなる。
カバー上部８０２の上辺が足の挿入口である。足を挿入すると、切り欠き中央部８０５は、開いて足の甲にフィットする。装着すると薄い靴下状で、カバー上部８０２を一度ねじって足の裏に納めて靴下を履くと結ぶ事なく装着できる。
【００１０】  お風呂上がりのあと、就寝前に、油分のある足のケアー素材を使用した時は、カバー上部８０２をちぎって結ぶことで寝具を汚さない。
切り欠き中央部８０５は、カバー切り欠き部８０３につづく部分で、カバー切り欠き部８０３の直線部に対して、斜め下方後方に、設けられている。
袋綴じ部８０６はインナー８０１の上辺以外が外周を閉じている。また、カバー切り欠き部８０３のカバー下部８０４側の部分を閉じている。一方、カバー切り欠き部８０３のカバー上部８０２の部分は閉じていない。後の図１（ｂ）で説明するが、足１０４にセットするためである。切り欠き中央８０５も閉じられていない。足にインナー８０１とはめる時、切り欠き中央８０５が開くようになっており、はめやすい。
【００１１】  使用方法を、図１（ｂ）に示す。インナー８０１の上辺から、足１０４を入れて、カバー上部８０２をねじって、その輪に足先を通す。このようにすることで、インナー８０１を足に固定できる。この状態で靴下を履く。
また、カバー上部８０２の端部をきって開口し、結んでもよい。しっかりと足に固定できる。
このインナー８０１の材質は不織布である。足と靴下の間に位置し、足と外部との空気の行き来を確保し、足で発生する汗を軽減する。
袋綴じ部８０６は、熱の圧着で作製できる。
【００１２】  図２（ａ）と図２（ｂ）は、図１（ａ）の変形例である。インナー８０１のカバー下部８０４の側面に開口を設けてある。開口の位置は、挿入される足の前方に他の部分にあってもよい。
開口の種類は、図２（ａ）では、スリットの切り目、切欠８１０である。図２（ｂ）では、コの字の形に切り目８２０を設けた。
それぞれの開口から足サイズの指を出すことができる。インナーを足につけて、その上から、５本指靴下を履くことができる。
【００１３】（実施の形態２）
図３は、別の実施の形態を示す。図３（ａ）は、インナー８０１であり、図３（ｂ）は、そのインナー８０１を足１０４に装着する途中の状態である。図３（ｃ）は、そのインナー８０１を足１０４に装着した状態である。
実施の形態１との差異は、カバー下部８０４の前方に開き部８１１があり、カバー下部左８０４ａとカバー下部右８０４ｂとの２つに分かれていることである。その他は、実施の形態１と同じです。
【００１４】  カバー下部左８０４ａとカバー下部右８０４ｂとに指を分けていれることができる。カバー下部左８０４ａが、カバー下部右８０４ｂより小さい。カバー下部左８０４ａに親指を入れる。他の指は、カバー下部右８０４ｂにいれる。左右の足に対して、
このインナー１種類でよい。カバー上部８０２に対して、右足時は奥側へ、左足時は手前へ、カバー下部８０４を倒して、足に装着する。このカバー下部左８０４ａとカバー下部右８０４ｂは、袋状であり、その袋を利用して、足１０４の指をわけて入れることができる。
【００１５】  図３（ｂ）に示すように、足１０４をインナー８０１に挿入した後、カバー上部８０２を持ち上げる。その後、図３（ｃ）に示すように、カバー下部右８０４ａへ掛けてとめることができる。このインナーは、和装の日本足袋にもインナーとしても装着できる。カバー上部８０２を１度ねじり、開き部８１１に挟み靴下を装着することができる。カバー上部８０２を切って、足首に巻きつけ、カバー上部８０２を結び、足首に固定できる。
【００１６】（実施の形態３）
図４は、別の実施の形態を示す。図４（ａ）は、インナー８０１であり、図４（ｂ）は、そのインナー８０１を足１０４に装着した状態である。
実施の形態１との差異は、カバー上部前８２０ａに開口８１０があることである。その他は、実施の形態１と同じである。開口８１０で、カバー上部奥８１０ｂ、カバー上部前８１０ａに分かれる。
インナー８０１を足１０４に装着後、開口８１０を、足１０４の前方へ回し、カバー上部奥８１０ｂと、カバー上部前８１０ａを、結び目３０６を作製し、足１０４に固定する。
温泉等で湯上がりの素足に、備え付けの下駄やスリッパの履きものを利用する場合等にも重宝である。
【００１７】（実施の形態４）
図５は、別の実施の形態を示す。図５は、インナー８０１であり、図１（ａ）の変形例である。実施の形態１との差異は、カバー下部８０４の下方の端部、カバー下部のコーナ８０８を設けている。このコーナを前後に設けると、足１０４をインナー８０１へ挿入したときに、靴下のようなデザインの、カバー下部８０４になる。
【００１８】（実施の形態５）
図６（ａ）、図６（ｂ）は、別の実施の形態を示す。図６は、インナー８０１であり、図１（ａ）の変形例である。図６（ａ）は、インナー８０１の斜視図である。図６（ｂ）は、足１０４に装着した側面図である。挿入口３０１と、先端開口３０２と、後端開口３０３と、後端右３０４と、後端左３０５と、先端右３０７と、先端左３０８とからなる。
挿入口３０１は、足１０４を入れる部分であり、開口となっている。先端右３０７と先端左３０８とは、袋状で指をそれぞれに分けていれる。
【００１９】  先端開口３０２は、先端右３０７と先端左３０８とを分けている開かれた部分である。後端開口３０３は、後端右３０４と後端左３０５とにわけるために開かれた部分である。足１０４に装着するときに、後端右３０４と後端左３０５は、インナー８０１に挿入しやすい。
先端開口３０２は、ほぼ、２分割に図示しているが、先端開口３０２を、先端右３０７と先端左３０８を右足用、左足用に設けてもよい
後端右３０４と後端左３０５は、インナー８０１を足１０４に装着するときに、足１０４の前方へ回して、足１０４の前方で結び、結び目３０６を作るものである。全体として袋状となっており、中央上部に挿入口３０１が位置する。足１０４を挿入しやすく、後端部分により足に固定しやすい。
スリッパ状で、和装の日本足袋にもインナーとしても装着できる。和装用のたびや靴下を装着してしまえば、足１０４の前方に、結び目３０６をつくらなくてもよい。
この例では、後端左右に特徴があり、その他の部分は、上記実施の形態を用いることができる。
【００２０】（製造方法）
不織布の加工は、カッターなどで不織布をカットできる。または、カッターなどの刃を埋め込んだ型により、不織布を押さえ込んで、複数枚の不織布に、切り目を設けてもよい。
繋ぐ（閉じる）方法は、熱で圧着（融着）して閉じる。加熱された細長い金属バーなどで複数の不織布を閉じることができる。不織布が熱で溶け、接着する。
【００２１】（提供形態）
本発明のインナー８０１の提供方法を、図７（ａ）、（ｂ）を用いて説明する。本発明のインナー８０１は、シート状に折りたたんで提供される。使い捨てで用いられる。朝、足１０４に装着して、靴下を履いて、靴下の内側に用いられ、足１０４から、インナー８０１をはずし、廃棄する。汗ばんだら、通気性のある不織布のインナーを取り替える。新しいインナー８０１を、また、足１０４に装着する。
この場合、図７（ａ）、（ｂ）に示すようにパックに複数枚のインナー８０１をセットしておく、日々、このパック４０３の開口４０１から１枚のインナー８０１を取り出し使用する。２枚セットでもよい。取り出した後、インナー８０１を広げ、足１０４に装着してから、靴下をはく。
図７（ａ）、（ｂ）とは開口４０１の位置が異なる。図７（ａ）は上部から、図７（ｂ）は側面に開口４０１がある。パックの厚みが、薄いと図７（ａ）のように上から、パックが厚いと図４（ｂ）の側面からインナー８０１を取り出せるようにすると取り出しやすい。
シート状の段階でパッケージにするので、コンパクトになり、運搬がし易く、取り扱いしやすい。
【００２２】  （全体を通して）
各実施の形態は、適時組み合わせることができる。足で説明したが、手にも応用できる。手袋の中に使用できる。
【産業上の利用可能性】
【００２３】  本発明は、不織布のインナーを装着すると、靴下が履きやすくなり、介護者側からもするりと履かせやすくなる。インナーの取り替え交換が簡単で、靴の中の蒸れや臭いを軽減させる。シューズの内側は、汗で蒸れても、不織布からなるインナーを装着していると、足は不織布の内側で、さらっと感で快適である。
使い捨てにできるインナーの携帯で、足の汗による臭いの不快感を、外出先でも取り替えやすく、インナーを取り替えて破棄することで、不快感からのストレスが、軽減され、爽快感が得られるインナーである。
【符号の説明】
【００２４】１００  包帯布
１０１  切り込み
１０２  指
１０３  包帯布
１０４  足
２０３  シート
３００  不織布
３０１  きり目
３０２  先端開口
３０３  後端開口
３０４  後端左
３０５  後端右
３０６  結び目
３０７  先端右
３０８  先端左
４０１  開口部
４０３  パック
８０１  インナー
８０２  カバー上部
８０３  カバー切り欠き部
８０４  カバー下部
８０４ａ  カバー下部左
８０４ｂ  カバー下部右
８０５  切り欠き中央部
８０６  袋綴じ部
８０８  カバー下部コーナ
８１０  スリット
８１１  開き部
８２０ｂ  カバー上部前
８２０ａ  カバー上部奥
【要約】
【課題】本発明のインナーは、足の汗によるストレスを軽減するために、靴下が履きやすく、介護者側からもスルリと履かせやすい通気性のよいインナーを靴下の内側に用いられ、汗ばんだら外出先でも簡単に取り替えやすく、靴の中の蒸れや臭いを軽減するために、取り替えると破棄できる。
爽快感を期待できるインナーを実現する。
【解決手段】袋状のカバーに、第１カバー切り欠き部を設けて、前記カバーをカバー上部とカバー下部とに分け、前記カバー上部を筒状に、前記カバー下部を袋状に形成し、さらに、前記カバー切り欠き部は、前記袋状のカバーの中央を斜め下後方に、前記第１カバー切り欠け部に連続して、少し第２切り欠け部を設けて形成したことを特徴とするインナーを用いる。
【選択図】図１【図１】
0005563690.tif 000002
【図２】
0005563690.tif 000003
【図３】
0005563690.tif 000004
【図４】
0005563690.tif 000005
【図５】
0005563690.tif 000006
【図６】
0005563690.tif 000007
【図７】
0005563690.tif 000008
【図８】
0005563690.tif 000009